(57)【特許請求の範囲】
【請求項１】
アラームデータの履歴を記録装置に書き込み、必要に応じて後に前記アラーム履歴から特定のアラーム事象を検索可能にするアラーム履歴記録装置において、
前記アラームデータの前記記録装置への書込み時に、前記アラームデータの書込み動作の回数をカウントし、予め決められた一定時間毎の前記カウントをチェックし、前記カウントが０の時間帯と０以外の時間帯を調べ、前記カウントが０以外の時間帯の情報をインデックスデータとして記録することを特徴とするアラーム履歴記録装置。
【請求項２】
前記インデックスデータには、当該インデックスデータの時間帯で最初又は最後に発生したアラームデータ、該アラームデータが格納されている位置及び後から追加可能なコメントの３領域を有することを特徴とする請求項１に記載のアラーム履歴記録装置。
【請求項３】
前記アラーム履歴データの読み出し時に、前記インデックスデータを参照して特定のアラームデータを選択可能にすることを特徴とする請求項１又は２に記載のアラーム履歴記録装置。
【請求項４】
前記インデックスデータのコメントを追加・変更して再記録可能にするコメント付加手段を有することを特徴とする請求項１、２又は３に記載のアラーム履歴記録装置。
【発明の詳細な説明】
【０００１】
【発明の属する技術分野】
本発明は、ネットワーク管理システム等のアラーム履歴を記録し、必要時に表示するアラーム履歴記録装置に関する。
【０００２】
【従来の技術】
種々のデジタル機器にあっては、異常が生じた場合に、アラームを発生するのが一般的である。斯るアラームはメモリに記録され、アラーム履歴として保存され、修理その他の便に供する。
【０００３】
従来のアラーム履歴記録装置の例としては、例えば、特開平４―１７０６７６号、特開平７―３６６４８号、実開平５―２３０５０号の各公報等に開示されている。
【０００４】
例えば、特開平７―３６６４８号公報には、イベントの発生、復旧等の状態が一目瞭然に把握可能とし、また、原因の解析を容易にする監視表示装置が開示されている。また、実開平５―２３０５０号公報には、アラーム情報を運転形態に応じて関係のあるアラーム情報だけを分類表示し、アラーム発生時の円滑な情報の把握を可能にする警報表示装置が開示されている。
【０００５】
従来のアラーム履歴記録装置を用いてアラーム履歴を表示検索する場合には、例えば、図７に示す如く、検索開始年月日／検索開始時分秒／検索終了年月日／検索終了時分秒の４種類の時間等入力欄に数字を入力することにより指定していた。
【０００６】
【発明が解決しようとする課題】
しかし、従来のアラーム履歴記録装置にあっては、後日アラーム履歴を読出し表示する際に目的とする事象(イベント)を指定する為に開始時刻と終了時刻を入力する必要があるので、アラーム発生事象をユーザが記録しておく必要があるという問題があった。
【０００７】
また、開始時刻／終了時刻を入力する際の入力方式が、それぞれ年月日及び時分秒を指定する必要があるので、この指定の為の操作が多く時間を要するという問題があった。
【０００８】
更に、履歴データの先頭から指定された開始時刻／終了時刻に該当するものを検索する必要があるので、長時間の履歴データが記録されている場合には検索に非常に長時間がかかるという問題があった。
【０００９】
そこで、本発明の目的は、アラーム履歴データの検索が簡単且つ短時間に行え、操作性及び保守性の優れたアラーム履歴記録装置を提供することにある。
【００１０】
【課題を解決するための手段】
前述の課題を解決するために、本発明によるアラーム履歴記録装置は、次のような特徴的な構成を備えている。
【００１１】
（１）アラームデータの履歴を記録装置に書き込み、必要に応じて後に前記アラーム履歴から特定のアラーム事象を検索可能にするアラーム履歴記録装置において、
前記アラームデータの前記記録装置への書込み時に、前記アラームデータの書込み動作の回数をカウントし、予め決められた一定時間毎の前記カウントをチェックし、前記カウントが０の時間帯と０以外の時間帯を調べ、前記カウントが０以外の時間帯の情報をインデックスデータとして記録するアラーム履歴記録装置。
【００１２】
（２）前記インデックスデータには、当該インデックスデータの時間帯で最初又は最後に発生したアラームデータ、該アラームデータが格納されている位置及び後から追加可能なコメントの３領域を有する上記（１）のアラーム履歴記録装置。
【００１３】
（３）前記アラーム履歴データの読み出し時に、前記インデックスデータを参照して特定のアラームデータを選択可能にする上記（１）又は（２）のアラーム履歴記録装置。
【００１４】
（４）前記インデックスデータのコメントを追加・変更して再記録可能にするコメント付加手段を有する上記（１）、（２）又は（３）のアラーム履歴記録装置。
【００１７】
【発明の実施の形態】
以下、図面を参照して、本発明によるアラーム履歴記録装置の好適実施形態を詳細に説明する。
【００１８】
図１は、本発明によるアラーム履歴記録装置の好適実施形態例の機能ブロック図である。このアラーム履歴記録装置は、タイマ処理１、履歴書き込み処理２、履歴読み出し処理３、開始／復旧時刻検出処理４、書き込み回数データ５、履歴データ６、インデックスデータ（時刻／読み出し位置／コメント）７、時刻選択処理８及びコメント付加処理９を備える。
【００１９】
タイマ処理１は、時間を計測する処理であり、一定時間毎に開始／復旧時刻検出処理４を起動する定周期起動動作Ａを行う。履歴書き込み処理２は、開始／復旧時刻検出処理４に対し、履歴書き込み処理２が保持するアラーム履歴書き込み位置取得動作Ｂを行う。また、書き込み回数データ５に対してアラーム履歴書き込み回数を＋１する動作Ｃを行い、更に履歴データ６に対してアラーム履歴データの書き込み動作Ｄを行う。
【００２０】
図２に、この履歴書き込み処理２の各動作プロセスのフローチャートを示す。「履歴書き込み要求」２０があると、「履歴データ書き込み」２１、「書き込み回数＋１」２２及び「履歴書き込み位置保持」２３の処理を行う。
【００２１】
次に、履歴読み出し処理３は、履歴データ６からアラーム履歴を読み出す動作Ｅを行い、更に、時刻選択処理８で選択された開始／終了時刻に付加されている読み出し位置取得動作Ｆを行う。
【００２２】
また、書き込み回数データ５は、開始／復旧時刻検出処理４が一定周期でアラーム履歴書き込み回数値を収集する動作Ｇを行う。
【００２３】
開始／復旧時刻検出処理４は、これら動作Ａ，Ｂ及びＧに基づき、統計処理にて検出した開始／終了時刻と書き込み位置の記録動作Ｈをインデックスデータ７に対して行う。
【００２４】
インデックスデータ７は、時刻選択処理８に対して、インデックスデータ７の一覧表示を行うか、又は、コメント付加処理９にてコメントを付加する動作Ｉを行う。また、Ｊは、オペレータからインデックスデータ７にコメントを付加する動作を行う。
【００２５】
更に、図１及至図６を参照して、本発明のアラーム履歴記録装置の各ブロックの動作及至機能を詳細に説明する。
【００２６】
タイマ処理１は、時間を計測する処理であり、一定時間毎に開始／復旧時刻検出処理４を起動する。
【００２７】
この開始／復旧時刻検出処理４は、履歴書き込み処理２がカウントしているアラーム履歴の書き込み回数５を図４に示す判定方式で判定して、アラーム発生事象の開始時刻と終了時刻を検出する。そして、検出した時刻と、その時刻のアラームとが書き込まれている履歴データ６内の位置をインデックスデータ７として記録する。
【００２８】
ここで、上述したアラーム発生事象の判定方式を示す図４を参照しながら簡単に説明する。
【００２９】
先ず、ステップ４１で書き込み回数判定を選択すると、ステップ４２で、前回判定時に０で今回も０か否か判断する。ここで、Ｙｅｓと判断された場合には、書き込み回数リセット４８とする。また、Ｎｏと判断された場合には、ステップ４３へ進み、前回判定時に０以外で今回０か否か判断する。
【００３０】
ステップＳ４３において、Ｙｅｓの場合には、ステップ４４へ進み終了時刻として記録し、履歴書き込み位置も記録する。また、Ｎｏの場合には、ステップ４５へ進み、前回判定時０で今回０以外か判断する。
【００３１】
ステップ４５において、Ｙｅｓと判断された場合には、開始時刻及び履歴書き込み位置記録４６を行う。また、Ｎｏと判断された場合には、ステップ４７へ進み、前回判定時に０以外で今回も０以外か否か判断して計４通りの場合分けを認識する。そして、いずれにしても書き込み回数をリセットする。
【００３２】
次に、本発明のアラーム履歴記録装置による履歴データのフォーマット（上部）と、インデックスデータのフォーマット（下部）について図６の例示を参照して説明する。
【００３３】
図６の履歴データでは、アラームの発生間隔を仮に１秒であったと仮定して、“９７／０１／０１  ９：１５：００”から連続して３６３０件のアラームが発生し、“９７／０１／０１  １０：１５：３０”を最後にアラームの発生がなくなった場合を示す。また、“９７／０３／０１  １０：１５：００”から連続して３７３５件のアラームが発生し、“９７／０３／０１  １１：１７：１５”を最後にアラームの発生がなくなった場合も示す。
【００３４】
次に、図１のアラーム履歴記録装置により、定周期起動Ａの間隔を仮に１０秒として、図４の判定方式を適用すると、図６の下部に示すインデックスデータが得られる。即ち、事象の開始時刻、事象の終了時刻、コメント（例えば、障害発生場所）、ログデータの開始位置及びログデータの終了位置が整理されてリストとして得られる。
【００３５】
図１のアラーム履歴記録装置における履歴書き込み処理２は、アラームデータを履歴データ６に書き込む処理であり、図２に示す如く、アラーム履歴の書き込み回数をカウントアップし、履歴書き込み位置を保持している。
【００３６】
また、図１のアラーム履歴記録装置における履歴読み出し処理３は、図３に示す如くオペレータの操作によりアラームデータを履歴データ６から読み出し表示する処理である。即ち、履歴読み出し要求３０があると、開始／終了時刻入力かインデックス選択かの選択ステップ３１がある。
【００３７】
開始／終了時刻入力の場合には、図７を参照して上述した如く、従来どおりに開始／終了時刻をキーボード等から入力してアラーム履歴を検索して読み出す３７。他方、オペレータが図５上の時刻選択釦を押下した場合には、アラーム履歴データの読み出しに先立って時刻選択処理８を起動する。この時刻選択処理８は、開始／復旧時刻検出処理４により記録されているインデックスデータ（図６の開始時刻、終了時刻、アラーム位置等）読み出し３２を行い、リスト（一覧表）を表示する。
【００３８】
この一覧表示された複数の時刻の中からオペレータが１つを選択３３すると、そのアラーム履歴の読み出し位置が決定される。この履歴読み出し処理３では、この位置を用いて（例えば、マウス等により選択して）、アラーム履歴データの中の該当する特定のアラームを検索することなく直接指定して読み出すことが可能である。即ち、マウス等による履歴読み出し位置取得３５及び履歴読み出し（指定位置のデータ取り出し）３６を行う。
【００３９】
尚、図３に示す如く、時刻選択処理８及びコメント付加処理９では、処理８における一覧表示された複数の時刻に、コメント付加処理９でオペレータが取り込み入力したコメント付加３８し、インデックスデータ書き込み３９を行うことが可能である。これにより、次回一覧表示する際にコメントが付加された図６の下方に示す如き表示が得られる。
【００４０】
上述の如く、本発明のアラーム履歴記録装置によると、図５に示す如く、時刻選択釦が、表示画面中に表示される。これをマウス等でクリックして選択することにより、アラーム履歴書き込み処理及び定周期タイマ処理で自動的に行っているアラーム発生事象の開始時刻／終了時刻の検出結果をインデックスデータとして取得し一覧表示する。そこで、オペレータは、一覧表示された複数の時刻の中から特定の１つを選択することにより、従来の如く４種類の時間入力欄に数字を入力することにより指定するという手間が省略できる。即ち、このマウス等による選択操作１つで４種類の時間が自動的に決定されるので操作性が大幅に改善される。
【００４１】
以上、本発明のアラーム履歴記録装置の好適実施形態例を詳述したが、本発明は斯る実施形態例のみに限定されるべきではなく、特定用途に応じて種々の変形変更が可能であること勿論である。
【００４２】
【発明の効果】
上述の説明から理解される如く、本発明のアラーム履歴記録装置によると、従来個別に指定する必要があった年月日時分秒のデータが自動的に生成でき表示されて選択可能であるので、オペレータの操作性が大幅に向上する。
【００４３】
また、記録しているインデックスデータにコメントを付加して再記録することが可能であるので、後で再度選択する際には目的とするアラームデータの指定が更に容易になり、アラーム履歴データの保守性が向上する。
【００４４】
更に、インデックスデータに記録した時刻のアラームデータの書き込み位置も記録しているので、これを使用することで指定された時刻のアラームデータを検索することなく高速に読み出し可能であり、読み出し処理時間の高速化が実現できる。
【図面の簡単な説明】
【図１】  本発明のアラーム履歴記録装置の好適実施形態例のブロック図である。
【図２】  図１の履歴データ書き込み動作のフローチャート図である。
【図３】  図１の履歴データ読み出し動作のフローチャート図である。
【図４】  図１の開始／終了時刻検出動作のフローチャート図である。
【図５】  図１のアラーム履歴記録装置の履歴表示画面における開始／終了時刻指定画面の例を示す図である。
【図６】  図１の履歴データのフォーマットとインデックスデータのフォーマットを示す図である。
【図７】  従来のアラーム履歴記録装置の履歴表示画面における開始／終了時刻指定の例である。
【符号の説明】
１      タイマ処理
２      履歴書き込み処理
３      履歴読み出し処理
４      開始／復旧時刻検出処理
５      書き込み回数データ
６      履歴データ
７      インデックスデータ
８      時刻選択処理
９      コメント付加処理
【図１】
0004159151.tif 000002
【図２】
0004159151.tif 000003
【図３】
0004159151.tif 000004
【図４】
0004159151.tif 000005
【図５】
0004159151.tif 000006
【図７】
0004159151.tif 000007
【図６】
0004159151.tif 000008